(57)【要約】  建物構造物の床（５）または他の完全体と、床（５）または他の完全体の適正なカバーとの間に用いられる音響伝播減衰システムは、（ｉ）厚さが１４ｍｍ以下の、石膏ファイバーボードの硬質の単一層基板（２）、ファイバーボード・セメント、ハードボード、合板または安定化再構成木材、（ｉｉ）上記基板の１つの面（４）に固定された、または固定可能な、厚さ１０ｍｍ以下の単一弾性層（３）を含み、（ｉｉｉ）上記弾性層（３）がその反対面を床（９）または他の完全体に固定され、または固定可能であり、このように配置することにより、床（５）または他の完全体を通る音響伝播の減衰を実現する。また、音響伝播の減衰方法が開示される。
2005509771.tif 000002
【特許請求の範囲】
【請求項１】
建築構造物の床または他の完全体と前記床または他の完全体の適正なカバーとの間に使用する音響伝播減衰システムであって、
厚さが１４ｍｍ以下の石膏ファイバーボード、ファイバー・セメント、ハードボード、合板または安定化再構成木材の剛体の単一層基板と、
前記基板の１つの面に固定された、または固定可能な、厚さ１０ｍｍ以下の単一弾性層と、を含み、
前記弾性層がその反対面を前記床または他の完全体に固定され、または固定可能であり、配置が、使用時に、前記基板と弾性層を一体に固定することと、前記弾性層を前記床または他の完全体に固定することとが、前記床または他の完全体を通る音響伝播の減衰を与えるようなものである、音響伝播減衰システム。
【請求項２】
前記基板の厚さが４ｍｍから１４ｍｍである、請求項１に記載の音響伝播減衰システム。
【請求項３】
前記基板の厚さが６ｍｍから１４ｍｍである、請求項２に記載の音響伝播減衰システム。
【請求項４】
前記基板の厚さがほぼ６．５ｍｍである、請求項３に記載の音響伝播減衰システム。
【請求項５】
前記基板が３ＧＰａから１８ＧＰａの弾性係数を有する、請求項１から４のいずれか一項に記載の音響伝播減衰システム。
【請求項６】
前記基板がほぼ７ＧＰａの弾性係数を有する、請求項５に記載の音響伝播減衰システム。
【請求項７】
前記基板が５ＭＰａから２５ＭＰａの破断係数を有する、請求項１から６のいずれか一項に記載の音響伝播減衰システム。
【請求項８】
前記基板がほぼ１１ＭＰａの破断係数を有する、請求項１から７のいずれか一項に記載の音響伝播減衰システム。
【請求項９】
前記弾性材料の厚さが２ｍｍから１０ｍｍである、請求項１から８に記載の音響伝播減衰システム。
【請求項１０】
前記弾性材料の厚さが２ｍｍから３ｍｍである、請求項９に記載の音響伝播減衰システム。
【請求項１１】
前記弾性材料の厚さがほぼ３ｍｍである、請求項１０に記載の音響伝播減衰システム。
【請求項１２】
前記弾性層の密度が２０ｋｇ／ｍ３から１５０ｋｇ／ｍ３である、請求項１から１１のいずれか一項に記載の音響伝播減衰システム。
【請求項１３】
前記弾性層の密度がほぼ７５ｋｇ／ｍ３である、請求項１２に記載の音響伝播減衰システム。
【請求項１４】
前記弾性層がポリオレフィンである、請求項１から１３のいずれか一項に記載の音響伝播減衰システム。
【請求項１５】
前記弾性層が発泡ポリエチレンである、請求項１４に記載の音響伝播減衰システム。
【請求項１６】
前記基板が石膏ファイバーボードである、請求項１から１５のいずれか一項に記載の音響伝播減衰システム。
【請求項１７】
前記システムの全体厚さが１１ｍｍ未満である、請求項１から１６のいずれか一項に記載の音響伝播減衰システム。
【請求項１８】
点荷重破壊試験結果が、本明細書の定義では、少なくとも１．５ｋＮである、請求項１から１７のいずれか一項に記載の音響伝播減衰システム。
【請求項１９】
点荷重破壊試験結果が、本明細書の定義では、少なくとも１．８ｋＮである、請求項１８に記載の音響伝播減衰システム。
【請求項２０】
前記基板が複数のシートを含み、このシートの隣接縁端部が一体に接着されて突合せ接合部を形成する、請求項１から１９のいずれか一項に記載の音響伝播減衰システム。
【請求項２１】
建築構造物の床または他の完全体を通る音響伝播を減衰する方法であって、
厚さが１０ｍｍ以下の単一弾性層の片側を前記床または他の完全体に固定し、
厚さが１４ｍｍ以下の石膏ファイバーボード、ファイバー・セメント、ハードボード、合板または安定化再構成木材の単一基板を、前記弾性層の反対側に固定することを含み、
前記床または他の完全体を通る音響伝播が減衰されるように、弾性層が前記基板および前記床または他の完全体に固定される、音響伝播を減衰する方法。
【請求項２２】
適正なカバーを前記弾性層の反対側の前記基板に固定する工程を含む、請求項２１に記載の方法。
【請求項２３】
前記単一弾性層を、コンタクト接着剤を用いて前記床または他の完全体に固定する工程を含む、請求項２１または２２に記載の方法。
【請求項２４】
前記基板を、コンタクト接着剤を用いて前記単一弾性層に固定する工程を含む、請求項２１から２３のいずれか一項に記載の方法。
【請求項２５】
前記弾性材料がポリオレフィンである、請求項２１から２４のいずれか一項に記載の方法。
【請求項２６】
前記弾性材料が発泡ポリエチレンである、請求項２５に記載の方法。
【請求項２７】
前記基板が石膏ファイバーボード、ファイバー・セメントまたはハードボードの複数のシートにより形成され、
前記シートの隣接縁端部を一体に接着して、突合せ接合部を形成する工程を含む、請求項２１から２６のいずれか一項に記載の方法。
【請求項２８】
前記基板が石膏ファイバーボードである、請求項２１から２７のいずれか一項に記載の方法。
【請求項２９】
本明細書で実質的に図１または２を参照して説明した、音響伝播減衰システムまたは音響伝播を減衰する方法。
【発明の詳細な説明】
【技術分野】
【０００１】
本発明は、建物構造体における音響伝播減衰に関し、特に、これに限定されないが、コンクリート床を通る音響伝播に関するものである。
【背景技術】
【０００２】
説明を簡単にするために、本発明は、コンクリート床への発明の使用に関連して述べる。ただし、本発明は、音響伝播の制御、特に、中実床またはあらゆる材料の壁を通る構造体伝播の音響伝播の制御、が必要とされるところにはどこにでも利用できることは理解されるべきである。
【０００３】
集合住宅地区および他の近接住宅においては、各部屋間および住宅間の効果的な防音の必要性が認識されている。これは、居住者の期待および建築基準要件が増加するにつれて、少なくともニュージーランドおよびオーストラリアでは重要性を増している。
【０００４】
特定の問題は、建物の床を通して伝播する比較的低い周波数に関するものであり、また固い床面の場合は高い周波数の関するものである。
【０００５】
床相互の音響伝播を減衰する公知の方法は、床カバーの下に比較的厚い弾性層、多くの場合ゴムを使用することを含む。しかし、従来のシステムはすべて、全体厚さ、音響性能および／またはすべての一般タイプの床ガバーと共に使用する際の適合性に関係する欠点を有している。特に従来技術のシステムのいくつかは、セラミック・タイルなどの比較的堅くてもろいカバーと共に使用するには不適当である。
【０００６】
ＡＵ４０３，０４７号明細書は、木材チップ・ボードの上側層に接着されたポリビニル芳香族樹脂から構成する積層板を記載している。このようなチップ・ボードは、セラミック・タイルまたはビニールを含む多くの床カバーに対し不適当な表面を提供する。チップ・ボード層とタイルの間に別の層を追加しても、チップ・ボードは表面処理を必要とし、および／または別の安定化層を追加する必要があり、これが設置に必要なコストおよび時間を増加させる可能性がある。
【０００７】
ＷＯ９８／２１０２７号明細書はゴムの基層、好ましくは溝付の下面を有する再生タイヤで構成された音響吸収弾性層を記載している。好ましくは、この弾性層は１１／６４インチ（約４．４ｍｍ）から３インチ（約７６ｍｍ）、最も好ましくは、３／８インチ（約９．５ｍｍ）から１インチ（約２５．４ｍｍ）である。弾性層の溝は、下地床との接触面積を制限することにより、弾性層の音響減衰特性を強化することを目的とする。
【０００８】
このシステムは、特にシステムのさらに好ましい形態では、比較的厚くなる。これは、弾性層を実装する各居住空間の全体の高さを高くして、床空間に対する天井の高さに関する規定に適合する必要があるために、望ましくない。これは、高層集合住宅などの建築コストを増加させる可能性がある。建物外面の最大に制限が課せられている場合、厚い上張りは家賃のためのレベルの数を減少させる可能性がある。居住者および設計者の観点から、厚い上張りに対する反対が多い。この理由は、厚い上張りを堅い表面の下（カーペットの下ではない）に取り付けると、小さい段差が生じるためである。これは美的不満足を生じ、安全性との妥協を取ることになる。
【０００９】
ＵＳ５，９６８，６３０号明細書は低密度ポリエチレン・フォームと低密度ポリエチレン・フィルムとの組合せを含む積層板を記載しており、この積層板をコンクリートの下張り床の上に固定せずに置いている。木製の積層床板がこのポリエチレン層の上に置かれる。このシステムは、下地床のでこぼこを平滑にするのに役立ち、全体として床への弾性手段を提供することを目的としている。
【００１０】
このシステムの１つの問題点は、上側層が柔らか過ぎて、セラミック・タイルなどの剛体の床カバーでのクラック発生のリスクなしには使用することができず、したがって、ビニールまたはゴム・タイルなどの軟質の床カバーだけにしか適さないことである。軟質の床は、多くの人が好む傾向にある堅い感じに欠ける。また発泡樹脂は、一部の家具によって加えられるような大きな圧力の負荷により、部分的に圧縮して、システムの音響性能が低下してしまう。発泡樹脂がこのように圧縮されない場合でも、システムの音響性能は用途によっては十分でないことがある。
【００１１】
ＥＰ８６４，７１２号明細書は、上側の木材床により発生する雑音を低減する単純な音響ゴム・マットを記載している。このシステムは、前述の木製の上面を使用するシステムに共通する剛性の欠如に関連する問題を引き起こす可能性がある。
【００１２】
ＥＰ８２９，５８８号明細書は、床または壁を覆うのに適する、ゴム・スクラップと発泡ポリスチレンの混合物で製作されるボードを記載している。
【００１３】
従来技術の別のシステムは、弾性層の上面に固化可能物質の上側層を塗り、この上側層の固化により弾性層の上面に比較的堅い基板を実現している。このタイプのシステムは設置が不便であり、特に上側層が硬化する間、建築の進行を遅らせる可能性がある。
【００１４】
前述のシステムはいずれも、許容できる雑音減衰、設置の容易性、持続した使用中の耐久性負荷の処理能力、比較的薄い全体厚さ、および最も一般的な床板表面とのボードの適合性の特性も兼ね備えない。
【００１５】
本出願人は、上で引用した特許のいずれかまたはすべてが、必然的に当業者の共通の一般的知識の一部を形成するとも、または必然的に勤勉な研究者により見出される特許であるとも認めるものではない。
【発明の開示】
【発明が解決しようとする課題】
【００１６】
したがって、本発明の目的は建築物の音響伝播減衰システムを提供することであり、このシステムは、費用対効果が大きく、比較的薄く、さらに現在の諸提案の欠点を克服するかまたは少なくとも改良する使いやすい音響伝播制御を提供し、または少なくとも利用者に有効な選択を提供する。
【００１７】
本発明の別の諸目的は以下の説明で明らかにする。
【課題を解決するための手段】
【００１８】
本発明の１つの態様によれば、建築構造物の床または他の完全体と、上記床または完全体の適正なカバーとの間の音響伝播減衰システムが提供され、このシステムは、
厚さが１４ｍｍ以下の、石膏ファイバーボード、ファイバー・セメント、ハードボード、合板または安定化造形木材の剛体の単一層基板と、
上記基板の１つの面に固定された、または固定可能な、厚さ１０ｍｍ以下の単一弾性層と、を含み、
上記弾性層がその反対面を上記床または他の完全体に固定され、または固定可能であり、配置が、使用時に、上記基板と弾性層を一体に固定することと、上記弾性層を床または他の完全体に固定することとが、床または他の完全体を通る音響伝播の減衰を与えるようなものである。
【００１９】
好ましくは、上記基板は厚さが４ｍｍから１４ｍｍである。
【００２０】
好ましくは、上記基板は厚さが６ｍｍから１４ｍｍである。
【００２１】
好ましくは、上記基板は厚さがほぼ６．５ｍｍである。
【００２２】
好ましくは、上記基板は３ＧＰａから１８ＧＰａの弾性係数を有する。
【００２３】
好ましくは、上記基板はほぼ７ＭＰａ弾性係数を有する。
【００２４】
好ましくは、上記基板は５ＭＰａから２５ＭＰａの破断係数を有する。
【００２５】
好ましくは、上記基板はほぼ１１ＭＰａの破断係数を有する。
【００２６】
好ましくは、上記弾性材料は厚さが２ｍｍから１０ｍｍである。
【００２７】
好ましくは、上記弾性材料は厚さが２ｍｍから３ｍｍである。
【００２８】
好ましくは、上記弾性材料は厚さがほぼ３ｍｍである。
【００２９】
好ましくは、上記弾性層は密度が２０ｋｇ／ｍ３から１５０ｋｇ／ｍ３である。
【００３０】
好ましくは、上記弾性層は密度がほぼ７５ｋｇ／ｍ３である。
【００３１】
好ましくは、上記弾性層はポリオレフィンである。
【００３２】
好ましくは、上記弾性層は発泡ポリエチレンである。
【００３３】
好ましくは、上記弾性層は石膏ファイバーボードである。
【００３４】
好ましくは、上記システムの全体厚さは１１ｍｍ未満である。
【００３５】
好ましくは、上記音響伝播減衰システムは、本明細書の定義では、少なくとも１．５ｋＮの点荷重試験結果を有する。
【００３６】
好ましくは、上記音響伝播減衰システムは、本明細書の定義では、少なくとも１．８ｋＮの点荷重試験結果を有する。
【００３７】
好ましくは、上記基板は複数のシートを含み、このシートの隣接縁端部が一体に接着されて、突合せ接合部を形成する。
【００３８】
本発明の第２の態様によれば、建築構造物の床または他の完全体を通る音響伝播を減衰する方法は、
厚さ１０ｍｍ以下の単一弾性層の片側を上記床または他の完全体に固定し、
厚さ１４ｍｍ以下の単一の石膏ファイバーボード、ファイバー・セメント、ハードボード、合板または安定化造形木材を、上記単一弾性層の反対側に固定すことを含み、
上記床または他の完全体を通る音響伝播が減衰されるように、弾性層が上記基板および床または他の完全体に固定される。
【００３９】
好ましくは、上記方法は、上記弾性層の反対側の上記基板に適正なカバーを固定する工程を含む。
【００４０】
好ましくは、方法は、コンタクト接着剤によって上記単一弾性層を上記床または他の完全体に固定する工程を含む。
【００４１】
好ましくは、方法は、コンタクト接着剤によって上記基板を上記単一弾性層に固定する工程を含む。
【００４２】
好ましくは、上記弾性材料はポリオレフィンである。
【００４３】
好ましくは、上記弾性材料は発泡ポリエチレンである。
【００４４】
好ましくは、上記基板は石膏ファイバーボード、ファイバー・セメント、またはハードボードの複数のシートにより形成でき、上記方法は、上記シートの隣接縁端部を接着して、突合せ接合部を形成する工程を含む。
【００４５】
好ましくは、上記基板は石膏ファイバーボードである。
【００４６】
本発明の別の態様によれば、音響伝播減衰システムおよび／または音響伝播を減衰する方法は実質的に、図１または２を参照して本明細書で説明する通りである。
【００４７】
すべて新規の態様と考えるべき、本発明の別のさまざまな態様は、例として添付図面を参照してなされる以下の説明により明らかになるであろう。
【発明を実施するための最良の形態】
【００４８】
複数構成単位の住居内およびその間の雑音の音響伝播の制御においては、衝撃遮断クラス（ＩＩＣ）等級が特に重要である。このような住居の多くはコンクリート床を有し、このような床を通して伝播する衝撃音を低減させる必要がある。今までの一般的解決策は、石膏ファイバーおよび合板などの各種材料を多層にして、追加の強度を得るために、通常は多層システム内の接合部を交互に配置した状態で、利用していた。別の解決策は、一般には床の上に固定せずに置かれた、配置を静荷重に頼る、ガラス・ウールまたは鉱質ウッド・マットなどの弾性材料の厚い層を組み込んでいた。なお、このような現在の解決策は、少なくとも３０ｍｍの厚さ、通常はそれ以上の厚さを有する傾向にあったことが理解される。
【００４９】
細断ゴムのマットまたは瀝青ベースのマットの利用などの別の解決策は、コストが高くおよび／または取付けが難しいことが立証されている。これに対して、本発明は、本発明の材料を使用するため、大幅にコストが低減し、同時に取り付けが容易になると予測される。
【００５０】
添付図面で、最初に図１および２を参照すると、本発明の１つの実施形態を断面図で非常に概略的に示しており、図２には基板シート間の接合を含む。
【００５１】
矢印１により全体的に示しかつ参照される、本発明の音響伝播減衰システムでは、単一層シート材料基板２が設けられ、この基板上に適正な床カバー（図示なし）、例えばセラミック床タイル、ビニール、木材または当業者には公知の別の任意の適正な床カバーを置くこともできる。
【００５２】
基板２は厚さが１４ｍｍ以下であり、４ｍｍから１４ｍｍが望ましく、厚さ６．５ｍｍの石膏ファイバーボードが適する。ただし、ファイバー・セメント、ハードボード、合板または安定化再構成木材等の、軽量で、強度があり、堅くて形状の安定した材料を使用することもできる。これら基板２のいくつか、例えば合板は、磨耗に対して十分に強く、通行の多くない領域内の床カバーとして塗料またはポリウレタンを使用できる。
【００５３】
好ましくは、基板は３ＧＰａから１８ＧＰａの弾性係数と、５ＭＰａから２５ＭＰａの破断係数を有し、さらに好ましくはほぼ７ＧＰａの弾性係数とほぼ１１ＭＰａの破断係数を有する。
【００５４】
基板２の下側面は、図では弾性層３に固定されている。適正なこの固定は、接着剤４の層を用いてなされる。このような接着剤層４は基板２と弾性層３の隣接面のほぼ全体または一部にのみわたり設けるか、またはスポット接着することもできる。接着剤層４は、２４時間未満の乾燥時間を有する触圧接着剤が適する。適正な接着剤は、例えばＢｏｓｔｉｃ（登録商標）１１８１コンタクト接着剤がある。
【００５５】
本システムの設置者は、取扱いの容易性から、基板２として石膏ファイバーボードを用いることを好む。石膏ファイバーボードの寸法は「切り目を入れて、嵌めこむ（ｓｃｏｒｅ  ａｎｄ  ｓｎａｐ）」方法により現場で変更でき、この方法によって、鋭い刃が強く押し付けられ、すでに接着されている場合には、基板２の表面および弾性層３を横切って移動して、弾性層３を切断して基板２に切り目を入れる。次に、切断のどちら側からも最も遠い基板２の縁端部を一緒に合わせて、基板２を２つの部分へと嵌め込む。
【００５６】
石膏ファイバーボードはまた、適正なサイズのシート、典型的には、一人で運搬できるサイズ、形状および重量であることから、設置者には特に扱い易いことが判明している、１８００ｍｍ×１２００ｍｍのオーダーに製作できる。
【００５７】
石膏ファイバーボードはまた、最も一般的な床カバー、および特にセラミック・タイルなどの剛体の床カバーへの適正な取付け表面を有することができる。石膏ファイバーボード上に床カバーを取付けることにより、システムの剛性のために、床の比較的浅い外形形状が、従来技術のいくつかのシステムに生じるような、基板２が床の外形形状に従うのでなく平坦におさまる。これにより、床カバーの外観が改良できる。さらに石膏ファイバーボードは、事前封止表面を可能にし、この表面上に、別の処理をすることなくタイルなどの適正な床カバーを貼り付けることができる。
【００５８】
当業者には、前述の利点のいくつかは、上に挙げた代替の基板２の１つによっても実現できることは理解されるであろう。
【００５９】
弾性層３は厚さ１０ｍｍ以下と比較的薄く、さらにこの範囲の薄い方が好ましく、３ｍｍオーダーの厚さが適正である。弾性層３には高弾性の、クリープの発生し難い、適正な高圧縮強度を有するポリオレフィンが適している。好ましくは、弾性材料３は以下の特性を備えている。
【００６０】
５ｋＰａの荷重における、３年間で、２３℃の条件で約１０％未満のクリープ。
【００６１】
２４時間全体を水に浸した後での、容積吸収率で約０．５％未満のＡＳＴＭＣ−２７２−５３水分吸収。
【００６２】
２０から１５０ｋｇ／ｍ３の密度。
【００６３】
２から１０ｍｍの厚さ。
【００６４】
２ｋＰａより大きい圧縮強度、またはさらに好ましくは１．５ｋＰａで５０％圧縮の圧縮強度。
【００６５】
１つの適正な材料は３ｍｍの発泡ポリエチレン層であってもよい。
【００６６】
弾性層３は、この例ではコンクリート床である床５に固定されて示されている。
【００６７】
弾性層３の床５への固定は、別の接着剤層６によりなされる。接着剤層６は水性のコテ塗りができる速乾性、好ましくは１時間以内で乾燥する接着剤の利用が適している。ほとんどすべての適正な接着剤層６、例えばウレタンを用いることができる。本出願人は、接着剤層６が適度に薄ければ、接着剤層６の選択が本発明の音響性能に影響を与えないことを見出した。
【００６８】
本発明の重要な部分は比較的薄い弾性層３と適切な薄さの基板２との組合せである。選択された弾性層が厚過ぎおよび／または不十分な密度および／または不十分な圧縮強度である場合、その弾性層３は基板２を支持して使用荷重に適合するには不十分である。さらに、不適切な弾性層３は基板２に大きな曲げを発生させることになり、タイルなどの床カバーにクラックを生じるか、またはビニール表面の欠陥箇所を拡大することがある。また局部的な荷重による弾性層３の変形は、システムの音響性能を大幅に低下させる可能性がある。
【００６９】
しかしながら、驚くべきことに、本出願人は、適正な密度の適正な薄さの弾性層３を適正な基板２と組合せることにより、十分な強度、剛性、寸法安定性および平坦性を含む良好な実用性だけでなく、すぐれた衝撃音遮断特性を実現できることを見出した。
【００７０】
図２をざっと参照すると、基板２のシートを接合する必要がある場合、適切な２４時間未満の乾燥時間を有しかつ耐水性を有する高強度多目的構造接着接合を、シート２の隣接する縁端部に沿って施し、突合せ接合を形成する。シート２の間の接合部７は、垂直加重を基板２全体に移動させ、基板２全体にクラックが広がるのを防止するのに有効に機能することを保証する。この方法で接着された適正な接合部７を有する状態で機能するシステムの能力により、従来システムでは一般的であった、重ね合せ接合を有する基板２の２重層を使用する必要をなくする。これにより、システムの設置を容易にし、設置速度を上げるだけでなく、システムの全体厚さを最少に維持する。
【００７１】
衝撃音伝播問題に対する現在入手可能な解決策の厚さ、特に従来技術のいくつかの弾性層の厚さ、および使用材料の選択を考慮して、図１および２に示す本発明は、適正な衝撃音伝播制御を実現できないか、または少なくとも現在入手可能なシステムと同等には動作しないのではないかと予測された。
【００７２】
本発明に関して実行した試験において、本発明のシステムが、多くの場合より簡単な構成を有するとともに、実際に、大部分の現在入手可能な、より高価な同等の厚さのシステムに比べて優れた性能を示し、また従来技術の多くの厚いシステムに比べて優れた性能を示すことが、予期せずに見出された。
【００７３】
図３を参照すると、このグラフは、本明細書ではＧＩＢ（登録商標）音響遮断ボード・コンクリート・システムまたは略してＧＳＢＣと称する本発明のシステム性能を、内張りのないむきだしのコンクリート・スラブと比較した結果を示す。
【００７４】
試験サンプルは、接着剤層によりコンクリート表面に接着された３ｍｍの弾性ポリエチレン層を使用した。約０．５ｍｍから１ｍｍの厚さの接着剤層は、３ｍｍ深さの切り欠きコテを用いて塗布した。弾性層を接着剤層の上に押し付けた。６．５ｍｍの石膏ファイバーボードのシートを、約２ｍｍより薄い接着剤層を介してポリエチレンの上面に接着し、これにより、全体厚さ約１０．５ｍｍの音響伝送減衰システムを実現した。
【００７５】
３００ｍｍ×３００ｍｍのセラミック・タイルを、ラテックス改質セメント性接着剤を用いて基板に接着した。このタイルは３ｍｍ間隔で分離され、隙間にはしっくいが詰められた。
【００７６】
基本的な衝撃音制御は、システム共振が発生する５００Ｈｚ近辺を除き全周波数で可能になる。当業者には、すべてのオーバーレイ・システムは特定の周波数におけるこのような共振効果に悩むことは理解されるであろう。
【００７７】
次の図４および５を参照すると、本発明の前述の試験サンプルが、瀝青ベースのマットならびに５ｍｍおよび１０ｍｍの細断ゴム・マットを利用している現在入手可能なシステムと比較されている。この図は、本発明のシステムが一定範囲の周波数に渡り優れた特性を示し、また特定の周波数については別のシステムより優れていることを示している。
【００７８】
次に図６では、本発明（ＧＳＢＣ）が、ＩＩＣ定格が関係する限りの、ゴム・マットの別のシステムと比較されており、別のシステムのいずれより優れていること分かる。
【００７９】
密度７５ｋｇ／ｍ３の厚さ３ｍｍの弾性層３と６．５ｍｍの石膏ファイバーボード基板２とを有し、モノコチュラ（ｍｏｎｏｃｏｔｔｕｒａ）・タイルでカバーされた、１つのサンプルの音響試験では、１８ｄＢのΔＬｎｗを実現した（またはＩＳＯ  １４０−８：１９９７で試験した場合は２０ｄＢのΔＩＩＣ）。
【００８０】
図７は本発明のシステムおよび従来技術のシステムのいくつかについての点荷重破壊結果を示し、これらのそれぞれは上面に２つの異なるタイルを備えている。ここでの点荷重破壊試験結果に対するすべての基準は、以下に説明するように、４０ＭＰａの破断係数を有するモノコチュラ・タイルを用いて実行された試験を基準にしている。
【００８１】
本発明の実施形態は３ｍｍの弾性層および６．５ｍｍの基板を用いて試験された。従来技術の例は厚さ１１ｍｍの瀝青マット、厚さ５ｍｍの細断ゴム・マット、厚さ５．５ｍｍの細断ゴム・マットおよび厚さ５．１ｍｍのコテで塗布した音響接着剤のベッドを含む。
【００８２】
試験サンプルは以下のように作成した。
【００８３】
音響オーバーレイの３００ｍｍ×３００ｍｍの２枚の片を、オーバーレイの製造者が指定した接着剤を用いてコンクリート基板に固定した。オーバーレイの片は、接合箇所を有さない音響接着剤を除いて製造者の推奨に従って突合せ接合した。
【００８４】
３００×３００×８ｍｍのモノコチュラ・タイル１枚および３００×３００×８ｍｍの磁性タイル１枚を、高品質のラテックス改質セメント性タイル接着剤を用いてそれぞれのオーバーレイに接着した。表面に対し４０度の角度で８ｍｍ×８ｍｍの切り欠きコテを用いて、サンプルの長さに沿って塗布した。タイルは３ｍｍの間隙を持たせて配置した。間隙は軟質密封剤で充填した。タイル空隙および音響オーバーレイの接合箇所は瀝青マットを除き各サンプル上で位置合わせした。この場合、タイルは製造者の仕様書に従って、タイル張りの表面に対しオーバーレイを４５度ずらせて配置した。
【００８５】
モノコチュラ・タイルは公称２．２％の水分吸収率および４０ＭＰａの破断係数を有していた。磁性タイルは０．２％未満の水分吸収率および５４ＭＰａの破断係数を有していた。
【００８６】
試料は試験に先立ち１１日間硬化させた。
【００８７】
サンプルはＩｎｓｔｒｏｎ（登録商標）の汎用試験装置のベース上に固定せずに置いた。直径２５ｍｍの鋼鉄製ボール・ベアリングをタイル表面の、密封剤から約４ｍｍおよび各タイルの外側縁端部から１００ｍｍ離れた位置の２点に押し付けた。
【００８８】
ロード・セルは４ｍｍ／分の速度でタイル方向に移動させた。タイルの物理的クラックは必ずしも目に見えなかったが、破壊はタイル張りシステムがクラック音を発生したときの荷重として記録した。
【００８９】
図７が示すように、本発明は試験した全サンプルで優れた点荷重破壊強度を実現した。前述の点荷重破壊試験は、使用可能性を代表する結果を提供する。良好な試験結果は優れた使用可能性を表わす。
【００９０】
本発明の好ましい実施形態は、前述の試験条件において、少なくとも１．５ｋＮ、またはより好ましくは少なくとも１．８ｋＮの点荷重破壊試験結果を提供できる。
【００９１】
したがって、石膏ファイバーボード等の単一の比較的薄い基板と、建物の床に固定された弾性層に一体におよびその層と共に固定された発泡ポリエチレンなどの弾性材料の比較的薄い層とが、セラミック・タイルなどの典型的な床カバーを用いてカバーされた場合の、優れた衝撃音伝播の解決策を提供し、また使用可能性荷重を提供できることが分かる。この点に関しては、弾性材料上の単一の薄い基板は、セラミック・タイルでカバーされた場合には、十分な強度でないために、使用可能性荷重に耐えることは期待されない。ただし、本発明の試験は、この点に関しては良好な性能を示した。
【００９２】
剛体の基板２は弾性層３の表面全体に効果的な荷重分散を与えると考えられる。この場合には、優れた点荷重強度が得られる。実際の状態では、これは、テーブルなどの重い家具類は弾性層３に経時的な損害を与えないが、逆に、別に以前のシステムで発生するような、音響制御特性に損害を与える。
【００９３】
これまでの説明では、公知の均等物を有する特定の構成部品または完全体を参照してきたが、このような均等物も、個別に記載したものと同じく本明細書に含まれるものである。
【００９４】
前述の説明は、本発明の可能な実施形態に関する例を用いて示したが、添付の特許請求項の範囲から逸脱することなく、さまざまな変更または改良を加えるのが可能であることは理解されるところである。
【図面の簡単な説明】
【００９５】
【図１】本発明の１つの可能な実施形態の非常に概略的な断面図を示す。
【図２】図１の実施形態における接合部の非常に概略的な断面図を示す。
【図３】むき出しのコンクリート板と比較した本発明の性能のグラフを示す。
【図４】一定範囲の周波数における、現在利用できる床カバーと比較した本発明の性能のグラフを示す。
【図５】一定範囲の周波数における、現在利用できる床カバーと比較した本発明の性能のグラフを示す。
【図６】衝撃遮断クラス（ＩＩＣ）に関する、本発明と別の、利用できる床カバーとの比較を示す。
【図７】本発明の点荷重破壊を別の入手可能なシステムを比較したグラフを示す。
【図１】
2005509771.tif 000003
【図２】
2005509771.tif 000004
【図３】
2005509771.tif 000005
【図４】
2005509771.tif 000006
【図５】
2005509771.tif 000007
【図６】
2005509771.tif 000008
【図７】
2005509771.tif 000009
【手続補正書】
【提出日】平成16年7月22日(2004.7.22)
【手続補正１】
【補正対象書類名】特許請求の範囲
【補正対象項目名】全文
【補正方法】変更
【補正の内容】
【特許請求の範囲】
【請求項１】
建築構造物の床または他の完全体と、前記床または他の完全体の適正なカバーとの間に使用するのに好適な音響伝播減衰システムであって、
厚さが１４ｍｍ以下で、３ＧＰａから１８ＧＰａの弾性係数を有する、石膏ファイバーボード、ファイバー・セメント、ハードボード、合板または安定化再構成木材の剛体の単一層基板と、
前記基板の１つの面に固定された、または固定可能な、厚さ１０ｍｍ以下の単一弾性層と、を含み、
前記弾性層がその反対面を前記床または他の完全体に固定され、または固定可能であり、配置が、使用時に、前記基板と弾性層を一体に固定することと、前記弾性層を床または他の完全体に固定することとが、前記床または他の完全体を通る音響伝播の減衰を与えるようなものである、音響伝播減衰システム。
【請求項２】
前記基板の厚さが４ｍｍから１４ｍｍである、請求項１に記載の音響伝播減衰システム。
【請求項３】
前記基板の厚さが６ｍｍから１４ｍｍである、請求項２に記載の音響伝播減衰システム。
【請求項４】
前記基板の厚さがほぼ６．５ｍｍである、請求項３に記載の音響伝播減衰システム。
【請求項５】
前記基板がほぼ７ＧＰａの弾性係数を有する、請求項１から４のいずれか一項に記載の音響伝播減衰システム。
【請求項６】
前記基板が５ＭＰａから２５ＭＰａの破断係数を有する、請求項１から５のいずれか一項に記載の音響伝播減衰システム。
【請求項７】
前記基板がほぼ１１ＧＰａの破断係数を有する、請求項６に記載の音響伝播減衰システム。
【請求項８】
前記弾性材料の厚さが２ｍｍから１０ｍｍである、請求項１から７に記載の音響伝播減衰システム。
【請求項９】
前記弾性材料の厚さが２ｍｍから３ｍｍである、請求項８に記載の音響伝播減衰システム。
【請求項１０】
前記弾性材料の厚さがほぼ３ｍｍである、請求項９に記載の音響伝播減衰システム。
【請求項１１】
前記弾性層の密度が２０ｋｇ／ｍ３から１５０ｋｇ／ｍ３である、請求項１から１０のいずれか一項に記載の音響伝播減衰システム。
【請求項１２】
前記弾性層の密度がほぼ７５ｋｇ／ｍ３である、請求項１１に記載の音響伝播減衰システム。
【請求項１３】
前記弾性層がポリオレフィンである、請求項１から１２のいずれか一項に記載の音響伝播減衰システム。
【請求項１４】
前記弾性層が発泡ポリエチレンである、請求項１３に記載の音響伝播減衰システム。
【請求項１５】
前記基板が石膏ファイバーボードである、請求項１から１４のいずれか一項に記載の音響伝播減衰システム。
【請求項１６】
前記システムの全体厚さが１１ｍｍ未満である、請求項１から１５のいずれか一項に記載の音響伝播減衰システム。
【請求項１７】
点荷重破壊試験結果が、本明細書の定義では、少なくとも１．５ｋＮである、請求項１から１６のいずれか一項に記載の音響伝播減衰システム。
【請求項１８】
点荷重破壊試験結果が、本明細書の定義では、少なくとも１．８ｋＮである、請求項１７に記載の音響伝播減衰システム。
【請求項１９】
前記基板が複数のシートを含み、このシートの隣接縁端部が一体に接着されて突合せ接合部を形成する、請求項１から１８のいずれか一項に記載の音響伝播減衰システム。
【請求項２０】
建築構造物の床または他の完全体を通る音響伝播を減衰する方法であって、
厚さが１０ｍｍ以下の単一弾性層の片側を前記床または他の完全体に固定し、
厚さが１４ｍｍ以下で、３ＧＰａから１８ＧＰａの弾性係数を有する、石膏ファイバーボード、ファイバー・セメント、ハードボード、合板または安定化再構成木材の単一基板を、前記弾性層の反対側に固定することを含み、
前記床または他の完全体を通る音響伝播が減衰されるように、弾性層が前記基板および前記床または他の完全体に固定される音響伝播を減衰させる方法。
【請求項２１】
適正なカバーを前記弾性層の反対側の前記基板に固定する工程を含む、請求項２０に記載の方法。
【請求項２２】
前記単一弾性層を、コンタクト接着剤を用いて前記床または他の完全体に固定する工程を含む、請求項２０または２１に記載の方法。
【請求項２３】
前記基板を、コンタクト接着剤を用いて前記単一弾性層に固定する工程を含む、請求項２０から２２のいずれか一項に記載の方法。
【請求項２４】
前記弾性材料がポリオレフィンである、請求項２０から２３のいずれか一項に記載の方法。
【請求項２５】
前記弾性材料が発泡ポリエチレンである、請求項２４に記載の方法。
【請求項２６】
前記基板が石膏ファイバーボード、ファイバー・セメントまたはハードボードの複数のシートにより形成され、
前記シートの隣接縁端部を一体に接着して、突合せ接合を形成する工程を含む、請求項２０から２５のいずれか一項に記載の方法。
【請求項２７】
前記基板が石膏ファイバーボードである、請求項２０から２６のいずれか一項に記載の方法。
【請求項２８】
本明細書で実質的に図１または２を参照して説明した、音響伝播減衰システム。
【国際調査報告】
2005509771.tif 000010
2005509771.tif 000011
2005509771.tif 000012